(57)【要約】【課題】  ランプ交換等の保守、点検作業を容易に行える装置を提供する。【解決手段】  被検眼に検査視標を呈示する視標呈示手段を所定の筐体内に配置し、視標光束を被検眼に向けて反射する反射ミラーを持つ省スペース型の視機能検査装置において、被検眼の高さ位置に対応して前記反射ミラーを駆動し視標光束を被検眼に導く反射ミラー駆動手段と、前記筐体の前面側に設けられた開閉扉とを設け、該開閉扉の内側に設けられた作業スペ−スと、該作業スペ−スに前記視標呈示手段の照明光源を含む光源を配置する。【選択図】      図２
2005087760.tif 000002
【特許請求の範囲】
【請求項１】
被検眼に検査視標を呈示する視標呈示手段を所定の筐体内に配置し、視標光束を被検眼に向けて反射する反射ミラーを持つ省スペース型の視機能検査装置において、被検眼の高さ位置に対応して前記反射ミラーを駆動し視標光束を被検眼に導く反射ミラー駆動手段と、前記筐体の前面側に設けられた開閉扉とを設け、該開閉扉の内側に設けられた作業スペ−スと、該作業スペ−スに前記視標呈示手段の照明光源を含む光源を配置したことを特徴とする視機能検査装置。
【請求項２】
筐体を上部及び下部に区分し、筐体下部には被検眼に検査視標を呈示する視標ディスク板及び視標照明ランプを配置し、視標光束を筐体上部に向けて反射するミラーを有し、該ミラーを反射し筐体上部のビームスプリッタを透過した視標光束を凹面ミラーで反射し、反射された視標光束をビームスプリッタで反射し筐体上部の検査窓を介して被検眼に導く視標呈示光学系を持ち、前記検査窓と被検眼とを離隔して検査を行う省スペース型の視機能検査装置において、筐体下部の前面側に開閉扉を設け、開閉扉の内側に保護カバー又は保護ケースを設けることにより基板等の電装部品や前記視標ディスク板を収蔵する空間とを分離し、開閉扉と保護カバー又は保護ケースの間のスペースを作業スペースとし、作業スペースにはケーブルを接続するコネクタを設け、また視標照明ランプを引き出し金具により作業スペースに引き出し照明ランプを交換可能にし、ヒューズホルダーの蓋を作業スペースから開きヒューズを交換可能にするとともに、保護カバーを取り外すことにより、作業スペースを介して保護カバーの内部の点検修理を可能にした、ことを特徴とする視機能検査装置。
【発明の詳細な説明】
【技術分野】
【０００１】
本発明は、被検眼の視機能を検査する視機能検査装置に関する。
【背景技術】
【０００２】
近年、検査スペースをできるだけ節約したいという要望から、被検眼と検査視標を直線的に配置せず、ミラー等を利用して検査距離（例えば５ｍ）を光学的に確保し、検査窓から被検眼を離隔した状態で検査を行う省スペース型の視機能検査装置が提案されている。この種の装置は、検査スペースを節約する目的から、検査室の壁に接近して設置されることが多く、また壁に埋め込んで設置されることもある（特許文献１  参照）。
【特許文献１】特開平７−２３６６１２号公報
【発明の開示】
【発明が解決しようとする課題】
【０００３】
しかしながら、上記のような装置には次のような欠点があった。
このような装置はランプ切れによる交換やヒューズの交換の必要性があるが、作業を行うたびに装置を移動するのでは、作業性が悪い。
本発明は、上記従来技術の問題点に鑑み、ランプ交換等の保守、点検作業を容易に行える装置を提供することを技術課題とする。
【課題を解決するための手段】
【０００４】
上記課題を解決するために、本発明は以下のような構成を備えることを特徴とする。
（１）  被検眼に検査視標を呈示する視標呈示手段を所定の筐体内に配置し、視標光束を被検眼に向けて反射する反射ミラーを持つ省スペース型の視機能検査装置において、被検眼の高さ位置に対応して前記反射ミラーを駆動し視標光束を被検眼に導く反射ミラー駆動手段と、前記筐体の前面側に設けられた開閉扉とを設け、該開閉扉の内側に設けられた作業スペ−スと、該作業スペ−スに前記視標呈示手段の照明光源を含む光源を配置したことを特徴とする。
（２）  筐体を上部及び下部に区分し、筐体下部には被検眼に検査視標を呈示する視標ディスク板及び視標照明ランプを配置し、視標光束を筐体上部に向けて反射するミラーを有し、該ミラーを反射し筐体上部のビームスプリッタを透過した視標光束を凹面ミラーで反射し、反射された視標光束をビームスプリッタで反射し筐体上部の検査窓を介して被検眼に導く視標呈示光学系を持ち、前記検査窓と被検眼とを離隔して検査を行う省スペース型の視機能検査装置において、筐体下部の前面側に開閉扉を設け、開閉扉の内側に保護カバー又は保護ケースを設けることにより基板等の電装部品や前記視標ディスク板を収蔵する空間とを分離し、開閉扉と保護カバー又は保護ケースの間のスペースを作業スペースとし、作業スペースにはケーブルを接続するコネクタを設け、また視標照明ランプを引き出し金具により作業スペースに引き出し照明ランプを交換可能にし、ヒューズホルダーの蓋を作業スペースから開きヒューズを交換可能にするとともに、保護カバーを取り外すことにより、作業スペースを介して保護カバーの内部の点検修理を可能にした、ことを特徴とする。
【発明の効果】
【０００５】
本発明によれば、ケーブル類の取付、ランプ交換等の保守、点検作業を装置前面側で行えるようにしたので、装置設置時及び設置後のこれらの作業性を向上させることができる。
【発明を実施するための最良の形態】
【０００６】
以下、本発明の形態を図面に基づいて説明する。図１（ａ）は本発明に係る視機能検査装置の正面図、図１（ｂ）は右側面図を示す。
１は装置本体を示し、正面上部には反射防止膜が施されたガラス板からなる窓２が配置され、被検者はこの窓２を介して中央に視標を見る。窓２はガラス板に代えてフィルタを配置しても良い。装置本体１の内部は黒色に塗装されており、内部構造が見えにくくしている。なお、図１（ａ）において、窓２上に点線で示した領域は、後述するグレア光源からのグレア光が被検眼へ照明される照明位置３を示している。
【０００７】
装置本体１の窓２の下部には、手前に開閉可能な開閉カバー１ａが設けられている。図２は、この開閉カバー１ａを開いたときの斜視図を示す。開閉カバー１ａは装置本体下部に対して２つの蝶番１１によって開閉するように支持されており、閉じたときは開閉カバー１ａの内側に設けられたマグネットにより、装置本体１側に固定される。開閉カバー１ａを開くときは、開閉カバー１ａの両サイドを両手で保持して手前に引くことにより、容易に開けることができる。
【０００８】
開閉カバー１ａを開いたときの装置本体１内部には、次のものが配置されている。装置本体１内部の両側には、グレア検査用のランプ２８が取り付けられたランプ取付部４が設けられており、ランプ取付部４は蓋４ａの開閉により取り付けられたランプを装置前面側から交換可能となっている。また、蓋４ａはツマミを持つビスにより、手で簡単に開閉及び固定できるようになっている。
【０００９】
６は通信ケーブルを接続する通信用コネクタ、７は電源コードを接続するためのインレットであり、通信用コネクタ６に接続される通信ケーブル及びインレット７に接続される電源コードは、開閉カバー１ａの底面に形成された切り欠き部１２を通して外部に導き出せるようになっている。通信用コネクタ６に接続される通信ケーブルは、操作盤で装置をコントロールするときに使用する。なお、電源ケーブルや通信ケーブルは、装置本体１の裏側等から必要な長さを出しておき（余分なケーブルの処理は装置本体の設置前に行っておくことができる）、装置本体１を設置した後に通信用コネクタ６やインレット７に接続することができる。これにより、壁に接近して設置する場合や、壁に埋め込んで設置する場合であっても、作業が容易に行える。
【００１０】
インレット７の上部にはヒューズホルダの蓋８があり、この蓋８を開けて内部のヒューズホルダのヒューズを簡単に付け替えることができる。また、装置本体１内部の上側手前にはスペア部品取付部９が設けられており、ここに視標用の照明ランプ、グレアーランプやヒューズ等のスペア部品を取り付けて保管し、必要時に簡単に取り出せるようになっている。スペア部品取付部９は開閉カバー１ａの裏側に設けても良い。スペア部品取付部９の横には、後述するワイヤレスのリモコン４０に対する光信号の送受信を行う送受信窓１０が設けられており、カバー１ａにはこれに対応するように開口部１３が形成されている。
【００１１】
１４は検査視標を呈示するための視標ディスク板２０等（後述する）を収納するケース、１７は装置本体１の奥側に配置される内部機構を保護する保護カバーである。開閉カバー１ａを開いたときに、使用者による通常の使用において触れる必要のないものは、このケース１４や保護カバー１７により保護する。保護カバー１７の奥側には基板等の電装部品が収納されており、サービスマンによる点検修理のときには、保護カバー１７の取付ビスを外すことにより、装置正面からその作業が容易にできるようになっている。なお、視標用の照明ランプ２４は、図３のように引出し金具５によって手前側に引き出せるようになっており、装置本体１を移動することなく使用者でも容易にその交換が可能である。
【００１２】
図２において、１５は電源スイッチ、１６はその表示ランプであり、開閉カバー１ａの前側には電源スイッチ１５用の押しボタン１５ａ、表示ランプ１６用の窓１６ａが設けられている。
装置本体１の内部に配置される光学系を図４、図５に基づいて説明する。図４は装置本体１の右側面から見たときの光学系の透視図、図５は正面から見たときの光学系の透視図である。
Ｅは被検眼を示す。２０はガラス板からなる円盤状の視標ディスク板であり、その同一円周上には視力値視標等の多数の視力検査視標がクロム蒸着等により形成されている。視標ディスク板２０は視標ディスク板モータ２１により回転され、被検者に呈示する視標を切り替え配置する。２２は呈示視標の一部をマスクするためのマスク板であり、マスク板モータ２３により回転され、視標に所期する必要なマスクをかける。
【００１３】
２４は検査視標を照明する照明用ランプ、２５はミラー、２６はビームスプリッタ、２７は凹面ミラーである。本形態での凹面ミラー２７は、被検眼と視力装置本体１の窓２との距離が１．１ｍのときに、視標と被検眼の光学距離を５ｍの検査距離にするようにその焦点距離が設計されている。照明ランプ２４により照明された検査視標の光束は、ミラー２５によって上方に反射され、ビームスプリッタ２６を透過した後、凹面ミラー２７で反射される。凹面ミラー２７で反射した視標光束はビームスプリッタ２６で反射され、窓２を介して被検眼Ｅに向かう。ビームスプリッタ２６は回転軸３０に取付けれており、モータ３１により回転軸３０が回転するとビームスプリッタ２６の傾斜角度が変えられる。これにより、ビームスプリッタ２６で反射する視標光束の上下方向の光路が変えられ、被検眼の高さ位置に合わせて視標光束を導くことができる。
【００１４】
２８はグレアランプである。グレアランプ２８はランプ取付部４に所定の角度で取り付けられている。２９はグレアー光源からの光束を反射し、被検眼へ入射させるためのミラーである。ミラー２９はビームスプリッタ２６を挟んで左右に一枚ずつ配置され、ビームスプリッタ２６を回転させる回転軸３０に取り付けられている。ミラー２９の取付角度は、ビームスプリッタ２６を反射した視標光束が被検眼Ｅに入射するときに、グレアランプ２８からの主光線も被検眼Ｅに入射するように調整されている。
【００１５】
６０は被検眼の高さ位置を検出する検出光学系であり、集光レンズ６１、２次元の位置検出素子６２を備え、窓２の左右両側の内部に設けられている。後述するリモコンの発光部から発せられる赤外光は集光レンズ６１により位置検出素子６２に集光し、位置検出素子６２からの出力信号により被検眼の高さ位置が検出される（視標光の光路を被検眼の高さに合せる方法は詳しくは特開平７−２３６６１２を参照されたい）。
【００１６】
図６は視標の切り替えやグレアー光を点灯させる等の操作を行うリモコン４０を示した図である。４１は電源スイッチ、４２は必要な視力値の視標の選択や選択した視標の一部にマスクをかける際に使用する視標切替スイッチ群、４３は位置検出の赤外光信号を送信するための位置送信スイッチである。４４はマニュアル操作にてモータ３１を駆動し、視標光路及びグレアー光路を変える光路変更スイッチである。４５はグレアーランプ点灯用のスイッチである。４６は視機能検査装置本体１に呈示される視標を表示する表示部である。リモコン４０の前部には赤外光によるパルス信号を送受信するための、送受信部４７が設けられている。
【００１７】
以上のような構成における装置の動作を、図７の電気系ブロック図を使用して説明する。
被検者を装置本体１の正面の所定位置（本形態では窓２との距離が１．１ｍの距離）に位置させ、押しボタン１５ａを押して装置本体１の電源を投入する。電源が投入されると制御部５０はモータ２１、２３、３１を駆動させ、視標ディスク板２０、マスク板２２、ビームスプリッタ２６（及びミラー２９）を初期位置に設定する。
【００１８】
次に検者はリモコン４０の電源スイッチ４１を入れた後、送受信部４７を被検眼Ｅの高さ位置に合わせ位置送信スイッチ４３を押す。位置送信スイッチ４３が押されるとリモコン４０の送受信部４７から赤外パルス信号が発信される。赤外パルス信号は送受信窓１０を介して受光部５２で受光され、信号処理回路５５で所定の処理がされて制御部５０に入力される。制御部５０はこの信号により位置検出素子６２を受信状態に置き、リモコン４０から発せられた赤外パルス信号が位置検出素子６２により検出されるようになる。位置検出素子６２からの出力信号は、信号処理回路５４を介して制御部５０に入力され、制御部５０は被検眼の上下方向の位置データを得る。この位置データに基づいて制御部５０はモータ３１を相応する分だけ回転させる。モータ３１の回転によってビームスプリッタ２６の傾斜角度が変わり、視標光束の光路が被検眼Ｅの高さ位置に調節される。
また、ミラー２９はビームスプリッタ２６と共に回転軸３０に取り付けられているため、ミラー２９の傾斜角度も同時に変わり、グレア光の光路も被検眼Ｅの高さ位置に調節される。
【００１９】
このようにして視標光束が被検眼Ｅに正確に入射するようにした後、検者はリモコン４０を操作して視力検査を行う。視標切替スイッチ群４２を押して呈示視標を選択すると、リモコン送受信部４７から発せられた視標情報の信号は受光部５２で受信される。制御部５０は受信した信号に対応する視標を光路中にセットすべくモータ２１を駆動させる。また、制御部５０は呈示した視標に対応する視標情報を信号処理回路５６を通じて発光部５３から送信する。送信された視標情報に関する信号はリモコン側の送受信部４７にて受信される。受信された視標情報は表示部４６にて表示され、これによって表示内容と呈示視標の食い違いを防止する。
【００２０】
グレアー検査に移行するときは、検者はリモコン４０の視標切替スイッチ群４２を使用して視標を選択、呈示させた後、スイッチ４５を押してグレアーランプ２８を点灯させる（視標の切替えと同様に、グレアーランプ２８の点灯情報が表示部４６にて表示される）。グレアーランプ２８から発した光束は、角度調節がされたミラー２９で反射して被検眼に向かうようになる。これにより、被検眼との装置本体１との実際の距離が短い省スペース型の装置であっても、被検眼の高さ位置によってグレア光の眩しさの程度が変化することなく、適正なグレア検査が行える。
【００２１】
以上説明した形態ではグレアー光源を２つ設ける構成としたが、これに限ったことではなくグレアー光の明るさ等に応じて、その数と配置を決定すれば良い。
また、グレアー光源を凹面ミラー２７側に配置することによって、ミラー２９を設けることなく、視標光束の導光と同じようにビームスプリッタ２６の反射を利用してグレア光を被検眼に導光することも可能である。
さらに、ミラー２９やビームスプリッタ２６の反射を利用するのではなく、直接回転軸３０にグレア光源を取り付ける構成にして、装置本体１内部からのグレア光が被検眼へ向かうようにしても良い。
【００２２】
また、視標光束及びグレア光の被検眼への導光調節は、次のようにしても良い。すなわち、可視光源からのスポット光をビームスプリッタ２６又はミラー２９で反射させ、反射した可視のスポット光が被検眼の付近の顔に当たるように、リモコン４０が持つ光路変更スイッチ４４を操作してビームスプリッタ２６又はミラー２９の傾斜角度を調節する。ビームスプリッタ２６又はミラー２９で反射すする視標光束及びグレア光の光路に対して、可視スポット光の光路も同じになるようにしておけば、リモコン４０を被検眼の高さ位置に配置する作業、及びを位置検出光学系６０を用いずに、視標光束を被検眼に導くことができる。
さらに、本実施例では装置本体１内部にグレア用ランプを設け、被検眼への導光調節等が可能なものとしたが、グレア用ランプを装置本体１の外部に取り付けても良い。この時の外観図を図８に示す。７０はグレア用ランプであり、リモコン４０のスイッチ４５により点灯、消灯するようになっている。
【００２３】
このようにグレア用ランプを装置本体の外側に取り付けることで別途グレア検査用の光源を設ける必要が無くなり、さらには保守、点検作業が楽になる。また、グレア用ランプが小さく被検眼の高さの違いによって眩しさの度合いが変化してしまう場合には、複数個のグレア用ランプを装置本体外側に取り付けることもできる。
さらに、先の例と同様に装置本体内部の回転軸３０の回転動作と連動してグレア用ランプ７０が駆動するような機構にすれば、より適確にグレア用ランプ７０の主光線を被検眼に向けることができ、被検眼の高さによる眩しさの度合いの変化が少なくてすむ。
【図面の簡単な説明】
【００２４】
【図１】実施の形態である視機能検査装置の正面及び側面の外観略図である。
【図２】視機能検査装置のカバーを開いた状態における斜方から見た外観略図である。
【図３】引き出し金具を用いて照明用のランプを引き出したときの外観略図である。
【図４】視機能検査装置を右側面から見たときの透視略図である。
【図５】視機能検査装置を正面から見たときの透視略図である。
【図６】視標の切り替えやグレアー光を点灯させる等の操作を行うリモコンを示した外観図である。
【図７】実施の形態である視機能検査装置の電気系ブロック図である。
【図８】グレア光源を装置の側面に取り付けた形態正面から見たときの外観図である。
【符号の説明】
【００２５】
１  装置本体
１ａ  開閉カバー
２  窓
３  照明位置
４  ランプ取付部
５  引き出し金具
６  通信用コネクタ
７  インレット
８  蓋
９  スペア部品取付部
１０  送受信窓
１１  蝶番
１２  切り欠き部
２０  視標ディスク板
２１  モータ
２４  照明ランプ
２８  グレアランプ
２９  ミラー
３０  回転軸
３１  モータ
【図１】
2005087760.tif 000003
【図２】
2005087760.tif 000004
【図３】
2005087760.tif 000005
【図４】
2005087760.tif 000006
【図５】
2005087760.tif 000007
【図６】
2005087760.tif 000008
【図７】
2005087760.tif 000009
【図８】
2005087760.tif 000010